(57)【要約】【課題】通話中などの特定な条件下におけるメール検索の効率を向上させる無線携帯端末装置、電子メール検索方法、およびそのプログラムを提供する。【解決手段】ＣＰＵ３は、通話中に通話相手の電話番号を検出する。ＣＰＵ３は、メモリ４内のアドレス情報を検索して、検出した電話番号に対応づけられているメールアドレスを抽出する。ＣＰＵ３は、抽出したメールアドレスを含む電子メールを抽出する。表示部５は、抽出された電子メールを表示する。【選択図】　　　　図１
2004064147.tif 000002
【特許請求の範囲】
【請求項１】
通話中に、自装置内に格納されている電子メールのうち、通話相手に関連する電子メールを抽出し、該抽出した電子メールを表示することを特徴とする無線携帯端末装置。
【請求項２】
通話中に、自装置内に格納されている電子メールのうち、通話相手のメールアドレスを含む電子メールを抽出し、該抽出した電子メールを表示することを特徴とする無線携帯端末装置。
【請求項３】
通話中に、自装置内に格納されている電子メールのうち、通話相手の名前、該通話相手の名前のフリガナ、および前記通話相手の電話番号のうちの少なくとも１つを含む電子メールを抽出し、該抽出した電子メールを表示することを特徴とする無線携帯端末装置。
【請求項４】
通話機能および電子メールの送受信機能を有する無線携帯端末装置であって、
送信および受信した電子メールを格納するメール格納手段と、
電話番号と通話対象の情報とを互いに対応付けて格納するアドレス情報格納手段と、
通話相手の電話番号を検出する通話番号検出手段と、
前記アドレス情報格納手段により格納された電話番号を検索して、前記通話番号検出手段により検出された電話番号と一致する電話番号を抽出する電話番号検索手段と、
前記電話番号検索手段により抽出された電話番号に対応付けられて、前記アドレス情報格納手段により格納されている通話対象の情報を抽出し、前記メール格納手段により格納されている電子メールを検索して、前記抽出した通話対象の情報の文字情報を含む電子メールを抽出するメール検索手段と、
前記メール検索手段により抽出された電子メールを表示するメール表示手段と、
を有することを特徴とする無線携帯端末装置。
【請求項５】
前記アドレス情報格納手段は、
電話番号とメールアドレスとを互いに対応付けて格納し、
前記メール検索手段は、
前記電話番号検索手段により抽出された電話番号に対応付けられて、前記アドレス情報格納手段により格納されているメールアドレスを抽出し、前記メール格納手段により格納されている電子メールを検索して、前記抽出したメールアドレスの文字情報を含む電子メールを抽出することを特徴とする請求項４記載の無線携帯端末装置。
【請求項６】
前記メール検索手段は、
前記メール格納手段により格納されている電子メールを検索して、前記通話相手と自装置との間で送受信された電子メールを抽出することを特徴とする請求項５記載の無線携帯端末装置。
【請求項７】
前記アドレス情報格納手段は、
電話番号、メールアドレス、通話対象の名前、および該通話対象の名前のフリガナを互いに対応付けて格納し、
前記メール検索手段は、
前記電話番号検索手段により検索された電話番号に対応付けられて、前記アドレス情報格納手段により格納されているメールアドレス、通話対象の名前、および通話対象の名前のフリガナを抽出し、
前記メール格納手段により格納されている電子メールを検索して、前記抽出された電話番号、ならびに前記抽出したメールアドレス、通話対象の名前、および通話対象の名前のフリガナのうちの少なくとも１つの文字情報を含む電子メールを抽出することを特徴とする請求項４記載の無線携帯端末装置。
【請求項８】
前記メール検索手段は、
前記抽出された電話番号、ならびに抽出したメールアドレス、通話対象の名前、および通話対象の名前のフリガナのうちの少なくとも１つの文字情報を、メールアドレス表示部分およびメール本文中に含む電子メールを抽出することを特徴とする請求項７記載の無線携帯端末装置。
【請求項９】
通話機能および電子メールの送受信機能を有する無線携帯端末装置を用いた電子メール検索方法であって、
送信および受信した電子メールを格納するメール格納工程と、
電話番号と通話対象の情報とを互いに対応付けて格納するアドレス情報格納工程と、
通話相手の電話番号を検出する通話番号検出工程と、
前記アドレス情報格納工程により格納された電話番号を検索して、前記通話番号検出工程により検出された電話番号と一致する電話番号を抽出する電話番号検索工程と、
前記電話番号検索工程により抽出された電話番号に対応付けられて、前記アドレス情報格納工程により格納されている通話対象の情報を抽出し、前記メール格納工程により格納されている電子メールを検索して、前記抽出した通話対象の情報の文字情報を含む電子メールを抽出するメール検索工程と、
前記メール検索工程により抽出された電子メールを表示するメール表示工程と、
を有することを特徴とする電子メール検索方法。
【請求項１０】
前記アドレス情報格納工程は、
電話番号とメールアドレスとを互いに対応付けて格納し、
前記メール検索工程は、
前記電話番号検索工程により抽出された電話番号に対応付けられて、前記アドレス情報格納工程により格納されているメールアドレスを抽出し、前記メール格納工程により格納されている電子メールを検索して、前記抽出したメールアドレスの文字情報を含む電子メールを抽出することを特徴とする請求項９記載の電子メール検索方法。
【請求項１１】
前記メール検索工程は、
前記メール格納工程により格納されている電子メールを検索して、前記通話相手と自装置との間で送受信された電子メールを抽出することを特徴とする請求項１０記載の電子メール検索方法。
【請求項１２】
前記アドレス情報格納工程は、
電話番号、メールアドレス、通話対象の名前、および該通話対象の名前のフリガナを互いに対応付けて格納し、
前記メール検索工程は、
前記電話番号検索工程により検索された電話番号に対応付けられて、前記アドレス情報格納工程により格納されているメールアドレス、通話対象の名前、および通話対象の名前のフリガナを抽出し、
前記メール格納工程により格納されている電子メールを検索して、前記抽出された電話番号、ならびに前記抽出したメールアドレス、通話対象の名前、および通話対象の名前のフリガナのうちの少なくとも１つの文字情報を含む電子メールを抽出することを特徴とする請求項９記載の電子メール検索方法。
【請求項１３】
前記メール検索工程は、
前記抽出された電話番号、ならびに抽出したメールアドレス、通話対象の名前、および通話対象の名前のフリガナのうちの少なくとも１つの文字情報を、メールアドレス表示部分およびメール本文中に含む電子メールを抽出することを特徴とする請求項１２記載の電子メール検索方法。
【請求項１４】
電子メールを送信する処理と、
電子メールを受信する処理と、
前記送信および受信した電子メールを格納するメール格納処理と、
電話番号と通話対象の情報とを互いに対応付けて格納するアドレス情報格納処理と、
通話相手の電話番号を検出する通話番号検出処理と、
前記アドレス情報格納処理により格納された電話番号を検索して、前記通話番号検出処理により検出された電話番号と一致する電話番号を抽出する電話番号検索処理と、
前記電話番号検索処理により抽出された電話番号に対応付けられて、前記アドレス情報格納処理により格納されている通話対象の情報を抽出し、前記メール格納処理により格納されている電子メールを検索して、前記抽出した通話対象の情報の文字情報を含む電子メールを抽出するメール検索処理と、
前記メール検索処理により抽出された電子メールを表示するメール表示処理と、
をコンピュータに実行させるためのプログラム。
【請求項１５】
前記アドレス情報格納処理は、
電話番号とメールアドレスとを互いに対応付けて格納し、
前記メール検索処理は、
前記電話番号検索処理により抽出された電話番号に対応付けられて、前記アドレス情報格納処理により格納されているメールアドレスを抽出し、前記メール格納処理により格納されている電子メールを検索して、前記抽出したメールアドレスの文字情報を含む電子メールを抽出することを特徴とする請求項１４記載のプログラム。
【請求項１６】
前記メール検索処理は、
前記メール格納処理により格納されている電子メールを検索して、前記通話相手との間で送受信された電子メールを抽出することを特徴とする請求項１５記載のプログラム。
【請求項１７】
前記アドレス情報格納処理は、
電話番号、メールアドレス、通話対象の名前、および該通話対象の名前のフリガナを互いに対応付けて格納し、
前記メール検索処理は、
前記電話番号検索処理により検索された電話番号に対応付けられて、前記アドレス情報格納処理により格納されているメールアドレス、通話対象の名前、および通話対象の名前のフリガナを抽出し、
前記メール格納処理により格納されている電子メールを検索して、前記抽出された電話番号、ならびに前記抽出したメールアドレス、通話対象の名前、および通話対象の名前のフリガナのうちの少なくとも１つの文字情報を含む電子メールを抽出することを特徴とする請求項１４記載のプログラム。
【請求項１８】
前記メール検索処理は、
前記抽出された電話番号、ならびに抽出したメールアドレス、通話対象の名前、および通話対象の名前のフリガナのうちの少なくとも１つの文字情報を、メールアドレス表示部分およびメール本文中に含む電子メールを抽出することを特徴とする請求項１７記載のプログラム。
【発明の詳細な説明】
【０００１】
【発明の属する技術分野】
本発明は、無線携帯端末装置、電子メール検索方法、およびそのプログラムに関し、特に、通話中に通話相手先に関連する電子メールを検索する無線携帯端末装置、電子メール検索方法、およびそのプログラムに関する。
【０００２】
【従来の技術】
電子メールを効率良く読む方法に係る従来技術として、特開２００１−２２５０７号公報が開示するところの携帯型通信端末（以下、従来例１）があった。従来例１では、表示モード切り替え要求に応じて、全角かな文字を半角かな文字に変換する事により、表示メッセージの行間隔を縮め、全体の見渡しを良くする様な制御が行われていた。
【０００３】
また、特開２０００−２７６４７３号公報が開示するところの携帯電話機の検索システム及び方法（以下、従来例２）があった。従来例２では、携帯電話機によりカナ文字を入力すると、その入力したカナ文字が先頭のカナ文字となる携帯電話機の機能名が表示され、携帯電話機が有する機能名の検索が容易となっていた。
【０００４】
【発明が解決しようとする課題】
しかしながら、従来例１では、通話中などの特定な条件下におけるメール検索の効率を上げる事は出来ないという問題があった。
【０００５】
また、従来例２には、携帯端末におけるメール検索の効率を向上させることを目的とする技術が開示されていなかった。
【０００６】
本発明は、上記問題点に鑑みてなされたものであり、通話中などの特定な条件下におけるメール検索の効率を向上させる無線携帯端末装置、電子メール検索方法、およびそのプログラムを提供することを目的とする。
【０００７】
【課題を解決するための手段】
かかる目的を達成するため、請求項１記載の発明は、通話中に、自装置内に格納されている電子メールのうち、通話相手に関連する電子メールを抽出し、抽出した電子メールを表示することを特徴とする。
【０００８】
また、請求項２記載の発明は、通話中に、自装置内に格納されている電子メールのうち、通話相手のメールアドレスを含む電子メールを抽出し、抽出した電子メールを表示することを特徴とする。
【０００９】
また、請求項３記載の発明は、通話中に、自装置内に格納されている電子メールのうち、通話相手の名前、通話相手の名前のフリガナ、および通話相手の電話番号のうちの少なくとも１つを含む電子メールを抽出し、抽出した電子メールを表示することを特徴とする。
【００１０】
また、請求項４記載の発明によれば、通話機能および電子メールの送受信機能を有する無線携帯端末装置であって、送信および受信した電子メールを格納するメール格納手段と、電話番号と通話対象の情報とを互いに対応付けて格納するアドレス情報格納手段と、通話相手の電話番号を検出する通話番号検出手段と、アドレス情報格納手段により格納された電話番号を検索して、通話番号検出手段により検出された電話番号と一致する電話番号を抽出する電話番号検索手段と、電話番号検索手段により抽出された電話番号に対応付けられて、アドレス情報格納手段により格納されている通話対象の情報を抽出し、メール格納手段により格納されている電子メールを検索して、抽出した通話対象の情報の文字情報を含む電子メールを抽出するメール検索手段と、メール検索手段により抽出された電子メールを表示するメール表示手段と、を有することを特徴とする。
【００１１】
また、請求項５記載の発明によれば、請求項４記載の無線携帯端末装置において、アドレス情報格納手段は、電話番号とメールアドレスとを互いに対応付けて格納し、メール検索手段は、電話番号検索手段により抽出された電話番号に対応付けられて、アドレス情報格納手段により格納されているメールアドレスを抽出し、メール格納手段により格納されている電子メールを検索して、抽出したメールアドレスの文字情報を含む電子メールを抽出することを特徴とする。
【００１２】
また、請求項６記載の発明によれば、請求項５記載の無線携帯端末装置において、メール検索手段は、メール格納手段により格納されている電子メールを検索して、通話相手と自装置との間で送受信された電子メールを抽出することを特徴とする。
【００１３】
また、請求項７記載の発明によれば、請求項４記載の無線携帯端末装置において、アドレス情報格納手段は、電話番号、メールアドレス、通話対象の名前、および通話対象の名前のフリガナを互いに対応付けて格納し、メール検索手段は、電話番号検索手段により検索された電話番号に対応付けられて、アドレス情報格納手段により格納されているメールアドレス、通話対象の名前、および通話対象の名前のフリガナを抽出し、メール格納手段により格納されている電子メールを検索して、抽出された電話番号、ならびに抽出したメールアドレス、通話対象の名前、および通話対象の名前のフリガナのうちの少なくとも１つの文字情報を含む電子メールを抽出することを特徴とする。
【００１４】
また、請求項８記載の発明によれば、請求項７記載の無線携帯端末装置において、メール検索手段は、抽出された電話番号、ならびに抽出したメールアドレス、通話対象の名前、および通話対象の名前のフリガナのうちの少なくとも１つの文字情報を、メールアドレス表示部分およびメール本文中に含む電子メールを抽出することを特徴とする。
【００１５】
また、請求項９記載の発明は、通話機能および電子メールの送受信機能を有する無線携帯端末装置を用いた電子メール検索方法であって、送信および受信した電子メールを格納するメール格納工程と、電話番号と通話対象の情報とを互いに対応付けて格納するアドレス情報格納工程と、通話相手の電話番号を検出する通話番号検出工程と、アドレス情報格納工程により格納された電話番号を検索して、通話番号検出工程により検出された電話番号と一致する電話番号を抽出する電話番号検索工程と、電話番号検索工程により抽出された電話番号に対応付けられて、アドレス情報格納工程により格納されている通話対象の情報を抽出し、メール格納工程により格納されている電子メールを検索して、抽出した通話対象の情報の文字情報を含む電子メールを抽出するメール検索工程と、メール検索工程により抽出された電子メールを表示するメール表示工程と、を有することを特徴とする。
【００１６】
また、請求項１０記載の発明によれば、請求項９記載の電子メール検索方法において、アドレス情報格納工程は、電話番号とメールアドレスとを互いに対応付けて格納し、メール検索工程は、電話番号検索工程により抽出された電話番号に対応付けられて、アドレス情報格納工程により格納されているメールアドレスを抽出し、メール格納工程により格納されている電子メールを検索して、抽出したメールアドレスの文字情報を含む電子メールを抽出することを特徴とする。
【００１７】
また、請求項１１記載の発明によれば、請求項１０記載の電子メール検索方法において、メール検索工程は、メール格納工程により格納されている電子メールを検索して、通話相手と自装置との間で送受信された電子メールを抽出することを特徴とする。
【００１８】
また、請求項１２記載の発明によれば、請求項９記載の電子メール検索方法において、アドレス情報格納工程は、電話番号、メールアドレス、通話対象の名前、および通話対象の名前のフリガナを互いに対応付けて格納し、メール検索工程は、電話番号検索工程により検索された電話番号に対応付けられて、アドレス情報格納工程により格納されているメールアドレス、通話対象の名前、および通話対象の名前のフリガナを抽出し、メール格納工程により格納されている電子メールを検索して、抽出された電話番号、ならびに抽出したメールアドレス、通話対象の名前、および通話対象の名前のフリガナのうちの少なくとも１つの文字情報を含む電子メールを抽出することを特徴とする。
【００１９】
また、請求項１３記載の発明によれば、請求項１２記載の電子メール検索方法において、メール検索工程は、抽出された電話番号、ならびに抽出したメールアドレス、通話対象の名前、および通話対象の名前のフリガナのうちの少なくとも１つの文字情報を、メールアドレス表示部分およびメール本文中に含む電子メールを抽出することを特徴とする。
【００２０】
また、請求項１４記載の発明は、電子メールを送信する処理と、電子メールを受信する処理と、送信および受信した電子メールを格納するメール格納処理と、電話番号と通話対象の情報とを互いに対応付けて格納するアドレス情報格納処理と、通話相手の電話番号を検出する通話番号検出処理と、アドレス情報格納処理により格納された電話番号を検索して、通話番号検出処理により検出された電話番号と一致する電話番号を抽出する電話番号検索処理と、電話番号検索処理により抽出された電話番号に対応付けられて、アドレス情報格納処理により格納されている通話対象の情報を抽出し、メール格納処理により格納されている電子メールを検索して、抽出した通話対象の情報の文字情報を含む電子メールを抽出するメール検索処理と、メール検索処理により抽出された電子メールを表示するメール表示処理と、をコンピュータに実行させることを特徴とする。
【００２１】
また、請求項１５記載の発明によれば、請求項１４記載のプログラムにおいて、アドレス情報格納処理は、電話番号とメールアドレスとを互いに対応付けて格納し、メール検索処理は、電話番号検索処理により抽出された電話番号に対応付けられて、アドレス情報格納処理により格納されているメールアドレスを抽出し、メール格納処理により格納されている電子メールを検索して、抽出したメールアドレスの文字情報を含む電子メールを抽出することを特徴とする。
【００２２】
また、請求項１６記載の発明によれば、請求項１５記載のプログラムにおいて、メール検索処理は、メール格納処理により格納されている電子メールを検索して、通話相手との間で送受信された電子メールを抽出することを特徴とする。
【００２３】
また、請求項１７記載の発明によれば、請求項１４記載のプログラムにおいて、アドレス情報格納処理は、電話番号、メールアドレス、通話対象の名前、および通話対象の名前のフリガナを互いに対応付けて格納し、メール検索処理は、電話番号検索処理により検索された電話番号に対応付けられて、アドレス情報格納処理により格納されているメールアドレス、通話対象の名前、および通話対象の名前のフリガナを抽出し、メール格納処理により格納されている電子メールを検索して、抽出された電話番号、ならびに抽出したメールアドレス、通話対象の名前、および通話対象の名前のフリガナのうちの少なくとも１つの文字情報を含む電子メールを抽出することを特徴とする。
【００２４】
また、請求項１８記載の発明によれば、請求項１７記載のプログラムにおいて、メール検索処理は、抽出された電話番号、ならびに抽出したメールアドレス、通話対象の名前、および通話対象の名前のフリガナのうちの少なくとも１つの文字情報を、メールアドレス表示部分およびメール本文中に含む電子メールを抽出することを特徴とする。
【００２５】
【発明の実施の形態】
（第１の実施形態）
本発明の第１の実施形態における無線携帯端末及びそのメール検索方法は、通話中に、無線携帯端末に格納されている通話相手に関連した電子メールを検索して表示するモードを持つ事により、電子メール検索の効率を向上させるものである。なお、以下「メール」の表記は、特記しない限り「電子メール」を示すこととする。
【００２６】
図１は、本発明の第１の実施形態における無線携帯端末の構成を示す図である。以下、図１を用いて、本実施形態における無線携帯端末の構成および動作について説明する。
【００２７】
無線携帯端末は、電話通信が可能な機器であって、例えば、携帯電話機であってもよいし、ＰＨＳまたはＰＤＡであってもよい。また、無線携帯端末は、本実施形態に示される機能を有するものであれば、他の機器であってもよい。また、無線携帯端末は、スイッチ１と、制御部２と、ＣＰＵ３と、メモリ４と、表示部５と、アンテナ６と、無線部７と、マイク８と、レシーバ９と、を有する。
【００２８】
スイッチ１は、無線携帯端末に所定の情報を入力する部位であって、通常の携帯電話機などに設けられているテンキーおよび方向キーなどを含む。
【００２９】
制御部２は、スイッチ１、ＣＰＵ３、無線部７、マイク８、およびレシーバ９と接続されている。また、制御部２は、電気信号のエンコード・デコードを行う。
【００３０】
ＣＰＵ３は、制御部２、メモリ４、および表示部５と接続されており、制御部２、メモリ４、および表示部５を含む無線携帯端末の各部位の制御を行う。
【００３１】
メモリ４は、情報を格納する部位である。メモリ４は、例えば、受信／送信メール、アドレス情報、および無線携帯端末自身のＩＤ（自ＩＤ）などが格納されている。アドレス情報とは、通話対象のＩＤとなるメモリ番号ごとに、通話対象の名前（人名、地域名、団体名など）、その通話対象名のフリガナ（名前の平仮名、片仮名、またはアルファベット表示など）、電話番号、メールアドレスなどが互いに対応付けられた情報を示す。
【００３２】
表示部５は、例えば、液晶または有機ＥＬ（Ｅｌｅｃｔｏｒｏｌｕｍｉｎｅｓｃｅｎｃｅ）などによるディスプレイであって、文字または画像情報などを表示する。
【００３３】
アンテナ６は、無線信号の送受信を行う。無線部７は、信号の変復調を行う。マイク８は、音声入力を行う。レシーバ９は、音声出力を行う。
【００３４】
以下、図１を用いて、無線携帯端末による呼設定処理の流れについて説明する。まず、アンテナ６は、無線信号を受信する。無線部７は、受信された無線信号を電気信号に復調する。制御部２は、復調された電気信号をデコードする。ＣＰＵ３は、デコードされた電気信号が自己（無線携帯端末）の呼び出し信号（自ＩＤ）であるか否かを解析する。ＣＰＵ３が受信信号を自己の呼び出し信号であると判断すると、表示部５などの報知手段は、外部に報知動作を行う。
【００３５】
表示部５などの報知手段による報知中に、オフフックスイッチ（スイッチ１の中で対応するスイッチ）が押下されると、制御部２は、オフフックスイッチが押下された旨の情報を、ＣＰＵ３に渡す。ＣＰＵ３は、オフフックスイッチが押された事を確認すると、呼設定応答要求を制御部２に対して行う。制御部２は、呼設定応答要求をエンコードする。無線部７は、制御部２によりエンコードされた呼設定応答要求を変調する。アンテナ６は、無線部７により変調された呼設定要求を無線信号として網側に送出する。アンテナ６が無線信号を網側へ送出してＣＰＵ３の呼設定応答により呼設定が完了すると、マイク８、レシーバ９を用いて通話動作が行われる。
【００３６】
次に、本実施形態における無線携帯端末によるメール表示処理の流れについて説明する。まず、ＣＰＵ３は、通話中にスイッチ１押下により、通話相手に関連するメールの表示が要求されたことを検出すると、メモリ４の中から通話相手に関連するメールを検索し、決められた順番（日付順等）に従って表示部５に表示させる。従って、通話中に、通話相手から送られてきたメールを確認したくなった時、効率の良い検索を行う事が可能となる。
【００３７】
図２は、本発明の第１の実施形態におけるスイッチ１の構成例を示す図である。以下、図２を用いて、本実施形態におけるスイッチ１の構成について説明する。
【００３８】
スイッチ１は、一般的な携帯電話のスイッチと同様に、テンスイッチ（０〜９）１１、＊スイッチ１２、＃スイッチ１３、スクロールスイッチ（←、↑、↓、→）１４、開始スイッチ（オフフックスイッチ）１５、終了スイッチ（オンフックスイッチ）１６、メニュースイッチ１７、およびクリアスイッチ１８となどにより構成されている。
【００３９】
テンスイッチ１１は、通常の携帯電話機などにも設けられている０から９までの数字を示すスイッチ群である。＊スイッチ１２は、通常の携帯電話機などにも設けられている「＊」が示されているスイッチである。♯スイッチ１３は、通常の携帯電話機などにも設けられている「♯」が示されているスイッチである。
【００４０】
スクロールスイッチ１４は、本実施形態では、４方向を指し示す矢印（←、↑、↓、→）が示されているスイッチ群であり、表示部１５上に表示されるカーソルの移動およびスクロールなどに用いられる。なお、本実施形態では、スクロールスイッチ１４は、４方向の矢印が示された４個のスイッチからなるが、カーソルやスクロールの所定方向への移動を入力するものであれば、スイッチの個数および形状は図により限定されないものとする。
【００４１】
開始スイッチ１５は、無線携帯端末をオフフックの状態にするスイッチである。終了スイッチ１６は、無線携帯端末をオンフックの状態にするスイッチである。
【００４２】
メニュースイッチ１７は、無線携帯端末における各種機能のメニュー表示要求などを入力するスイッチである。クリアスイッチ１８は、所定の入力の取り消しなどを入力するスイッチである。
【００４３】
図３は、本発明の第１の実施形態におけるメモリ４に格納されるアドレス情報を示す図である。図３に示されているように、本実施形態では、メモリ４には７００件までのアドレス情報が保存可能となっている（ここでは説明の便宜上７００件としたが、件数は特に限定されないものとする）。図３に示されているように、メモリ４は、アドレス情報として、それぞれのメモリ番号毎に名前、フリガナ、電話番号、メールアドレスなどを保存する。
【００４４】
次に、本実施形態における無線携帯端末によるメール表示処理の流れについて説明する。まず、ＣＰＵ３は、通話中にスイッチ１における所定キーの押下により通話相手に関連するメールの表示要求が行われた旨を検出すると、メモリ４の中から通話相手に関連するメールを検索し、決められた順番（日付順等）に従って表示部５に表示させる制御を行う。従って、通話中に、通話相手から送られてきたメールを確認したくなった時、効率の良い検索を行う事が可能となる。
【００４５】
また、メールには送信メールおよび受信メールの２種類のメールがあるが、ＣＰＵ３は、送信メール検索の時には通話相手に送信したメールの検索を行い、受信メール検索の時には通話相手から受信したメールの検索を行うものとする。なお、「通話相手に関連するメール」とは、通話相手のアドレス情報を含む電子メールを示し、「通話相手に関連するメール」には、「通話相手に送信したメール」および「通話相手から受信したメール」の両方が含まれるものとする。
【００４６】
図４および図５は、本発明の第１の実施形態における無線携帯端末によるメール検索動作の流れを示すフローチャートである。以下、図１乃至図３を用い、図４および図５に沿って、本実施形態における無線携帯端末によるメール検索動作について説明する。
【００４７】
本実施形態では、無線携帯端末は、メールを表示するためのメール表示モードとして、「通話相手メール表示モード」と、「通常メール表示モード」とを有する。「通話相手メール表示モード」は、通話中に、通話相手に関連するメールを検索し、検索した通話相手に関連するメールを表示するメール表示モードである。また、「通常メール表示モード」は、携帯電話機などにおける通常のメール表示を行う際におけるメール表示モードである。
【００４８】
表示部５は、「通常メール表示モード」および「通話相手メール表示モード」のいずれかを選択するための選択画面を表示する。選択画面上には、「通常メール表示モード」および「通話相手メール表示モード」を示すアイコンなどが示されている。ユーザは、スイッチ１を操作して両メール表示モードのうちいずれかを選択する。
【００４９】
まず、ＣＰＵ３は、無線携帯端末がメール表示モードに突入しているか否か、つまり、表示部５がメール表示可能な状態にあるか否かを判断する（ステップＳ４１）。無線携帯端末がメール表示モードに突入していないと判断された場合（ステップＳ４１／Ｎｏ）、ステップＳ４１の処理が繰り返される。
【００５０】
無線携帯端末がメール表示モードに突入していると判断された場合（ステップＳ４１／Ｙｅｓ）、ＣＰＵ３は、無線携帯端末が現在通話中であるか否かを判定する（ステップＳ４２）。
【００５１】
無線携帯端末が現在通話中ではないと判定されると（ステップＳ４２／Ｎｏ）、通常メール表示モードに移行する（ステップＳ４３）。以下の処理は、通常の携帯電話機などで行われるメール表示処理と同様であるので省略する。通常メール表示モードによるメール表示終了後、図５に遷移し、無線携帯端末は、動作を終了する。
【００５２】
ＣＰＵ３により無線携帯端末が現在通話中であると判断されると（ステップＳ４２／Ｙｅｓ）、ＣＰＵ３は、表示部５に表示された「通常メール表示モード」および「通話相手メール表示モード」の文字またはアイコンのうち、スイッチ１により通話相手メール表示モードが指定されたか否かを判定する（ステップＳ４４）。
【００５３】
ＣＰＵ３により通話相手メール表示モードが選ばれなかった（通常モードを選択）と判定されると（ステップＳ４４／Ｎｏ）、通常のメール表示モードに移行して（ステップＳ４３）、その後無線携帯端末は、メール表示モードにおける動作を終了する。
【００５４】
通話相手メール表示モードが選ばれたと判定された場合（ステップＳ４４／Ｙｅｓ）、ＣＰＵ３は、通話相手の端末の電話番号を検出する。ＣＰＵ３は、メモリ４を参照して、検出した通話相手の電話番号を含むアドレス情報（通話相手の電話番号に一致した電話番号を含む）を検索する（ステップＳ４５）。
【００５５】
ＣＰＵ３は、アドレス情報検索の結果、通話相手の電話番号を含むアドレス情報がメモリ４に格納されているか否かを判定する（ステップＳ４６）。通話相手のアドレス情報が無いと判定されると（ステップＳ４６／Ｎｏ）、表示部５は、「通話相手に関連するメールは無い」と表示する（ステップＳ４７）。その後、無線携帯端末は、メール表示モードにおける動作を終了する。
【００５６】
通話相手のアドレス情報が有ると判定されると（ステップＳ４６／Ｙｅｓ）、ＣＰＵ３は、通話相手のアドレス情報からメールアドレスを抽出する（ステップＳ４８）。次に、ＣＰＵ３は、メモリ４内に格納されているメールを検索して、抽出したメールアドレスを示す文字情報を含むメールを抽出した後、整列番号順に（例えば日付順等に）検索したメールを整列させる（ステップＳ４９）。なお、ＣＰＵ３は、メモリ４内に格納されているメールのうち、抽出したメールアドレス（通話相手のメールアドレス）を示す文字情報がメールアドレス表示部分に含まれる電子メール、つまり、通話相手から受信した電子メールおよび通話相手に送信した電子メールを検索するようにしてもよい。
【００５７】
次に、ＣＰＵ３は、ステップＳ４９の検索結果の判定を行い、通話相手に関連するメールがあるか否かを判定する（ステップＳ５０）。
【００５８】
通話相手に関連するメールが無いと判定された場合（ステップＳ５０／Ｎｏ）、表示部５は、「通話相手に関連するメールは無い」と表示する（ステップＳ４７）。その後、無線携帯端末は、メール表示モードにおける動作を終了する。
【００５９】
通話相手に関連するメールが有ると判定された場合（ステップＳ５０／Ｙｅｓ）、ＣＰＵ３は、変数Ｘ（Ｘは１以上の整数）に「Ｘ＝１」を代入する（ステップＳ５１）。
【００６０】
次に、表示部５は、変数Ｘに対応する整列番号Ｘ（ここでは整列番号１）の通話中の相手に関連したメールを表示する（ステップＳ５２）。
【００６１】
次に、ＣＰＵ３は、スクロールスイッチ１４が押下されたか否かを判定する（ステップＳ５３）。
【００６２】
スクロールスイッチ１４が押下されたと判定されると（ステップＳ５３／Ｙｅｓ）、ＣＰＵ３は、変数Ｘを「Ｘ＝Ｘ＋１」として（ステップＳ５４）、表示部１５は、現在表示されているメールの次の整列番号のメール表示を行う（ステップＳ５２）。なお、スクロールスイッチ１４によりスクロールする方向（例えば、順方向、逆方向など）については特に限定されないものとする。
【００６３】
スクロールスイッチ１４が押下されていないと判定された場合（ステップＳ５３／Ｎｏ）、ＣＰＵ３は、終了スイッチ１６が押下されたか否かを判定する（ステップＳ５５）。
【００６４】
終了スイッチ１６が押下されていないと判定された場合（ステップＳ５５／Ｎｏ）、ステップＳ５３の処理が繰り返される。
【００６５】
終了スイッチ１６が押下されたと判定された場合（ステップＳ５５／Ｙｅｓ）、無線携帯端末は、メール表示モードにおける動作を終了する。
【００６６】
以上、説明したように、本実施形態によれば、無線携帯端末は、メモリ４内に格納されているメールのうち、そのメールアドレスに、通話相手先のメールアドレスが含まれるメールを検索して通話中に表示する。従って、ユーザは、通話相手先に関連するメールを容易かつ迅速に検索し、閲覧することが可能となる。
【００６７】
（第２の実施形態）
本発明の第１の実施形態では、無線携帯端末は、メモリ４内に格納されているメールのうち、通話相手先のメールアドレスがメールアドレス表示部分に含まれるメールを検索して表示していた。本発明の第２の実施形態では、メモリ４内に格納されているメールのうち、メールアドレス表示部分およびメール本文中のうちの少なくとも一方に通話相手先に係る情報（通話相手先の名前、名前のフリガナ、電話番号、またはメールアドレスなど）が含まれるメールを検索して表示する。本発明の第２の実施形態における構成および動作は、以下特記しない限り第１の実施形態と同様であるとして説明を進める。
【００６８】
図６および図７は、本発明の第２の実施形態における無線携帯端末によるメール検索動作の流れを示すフローチャートである。以下、図１乃至図３を用い、図６および図７に沿って、本実施形態における無線携帯端末によるメール検索動作について説明する。
【００６９】
まず、ＣＰＵ３は、無線携帯端末がメール表示モードに突入しているか否か、つまり、表示部５がメール表示可能な状態にあるか否かを判断する（ステップＳ６１）。無線携帯端末がメール表示モードに突入していないと判断された場合（ステップＳ６１／Ｎｏ）、ステップＳ６１の処理が繰り返される。
【００７０】
無線携帯端末がメール表示モードに突入していると判断された場合（ステップＳ６１／Ｙｅｓ）、ＣＰＵ３は、無線携帯端末が現在通話中であるか否かを判定する（ステップＳ６２）。
【００７１】
無線携帯端末が現在通話中ではないと判定されると（ステップＳ６２／Ｎｏ）、通常メール表示モードに移行する（ステップＳ６３）。以下の処理は、通常の携帯電話機などで行われるメール表示処理と同様であるので省略する。通常メール表示モードによるメール表示終了後、図７に遷移し、無線携帯端末は、動作を終了する。
【００７２】
ＣＰＵ３により無線携帯端末が現在通話中であると判断されると（ステップＳ６２／Ｙｅｓ）、ＣＰＵ３は、表示部５に表示された「通常メール表示モード」および「通話相手メール表示モード」の文字またはアイコンのうち、スイッチ１により通話相手メール表示モードが指定されたか否かを判定する（ステップＳ６４）。
【００７３】
ＣＰＵ３により通話相手メール表示モードが選ばれなかった（通常モードを選択）と判定されると（ステップＳ６４／Ｎｏ）、通常のメール表示モードに移行して（ステップＳ６３）、その後無線携帯端末は、メール表示モードにおける動作を終了する。
【００７４】
通話相手メール表示モードが選ばれたと判定された場合（ステップＳ６４／Ｙｅｓ）、ＣＰＵ３は、通話相手の端末の電話番号を検出する。ＣＰＵ３は、メモリ４を参照して、検出した通話相手の電話番号を含むアドレス情報を検索する（ステップＳ６５）。
【００７５】
ＣＰＵ３は、アドレス情報検索の結果、通話相手の電話番号を含むアドレス情報がメモリ４に格納されているか否かを判定する（ステップＳ６６）。通話相手のアドレス情報が無いと判定されると（ステップＳ６６／Ｎｏ）、表示部５は、「通話相手に関連するメールは無い」と表示する（ステップＳ６７）。その後、無線携帯端末は、メール表示モードにおける動作を終了する。
【００７６】
通話相手のアドレス情報が有ると判定されると（ステップＳ６６／Ｙｅｓ）、ＣＰＵ３は、通話相手のアドレス情報から通話相手の名前、その名前のフリガナ（名前の平仮名、片仮名、またはアルファベット表示など）、通話相手の電話番号、および通話相手のメールアドレスのうちの少なくとも１つを抽出する（ステップＳ６８）。なお、ステップＳ６８において、ＣＰＵ３は他の通話相手に係る他の情報を抽出するとしてもよい。
【００７７】
ＣＰＵ３は、メモリ４内の電子メールを検索して、抽出した上記の名前、フリガナ、電話番号、メールアドレスなどの通話相手に係る情報のうちの少なくとも１つがメール本文中およびメールアドレス表示部分のうちの少なくとも１つに含まれる電子メールを抽出する。次に、ＣＰＵ３は、整列番号順に（日付順等に）抽出した電子メールを整列させる（ステップＳ６９）。なお、ステップＳ６９において、ＣＰＵ３は通話相手に係る他の情報を用いてメール検索を行うとしてもよい。また、通話相手に係る情報が、メールの他の部分（例えばメール表題など）に含まれるメールをメモリ４から検索するようにしてもよい。また、ユーザは、スイッチ１を用いて、メール検索の際にどのアドレス情報を用いるか選択可能としてもよい。また、ユーザは、スイッチ１を用いて、電子メールにおいて検索をかける部分（メール本文中、メールアドレス表示部分、メール表題など）を指定可能としてもよい。
【００７８】
次に、ＣＰＵ３は、ステップＳ６９の検索結果の判定を行い、通話相手に係る情報を含むメール、すなわち通話相手に関連するメールがあるか否かを判定する（ステップＳ７０）。
【００７９】
通話相手に関連するメールが無いと判定された場合（ステップＳ７０／Ｎｏ）、表示部５は、「通話相手に関連するメールは無い」と表示する（ステップＳ６７）。その後、無線携帯端末は、メール表示モードにおける動作を終了する。
【００８０】
通話相手に関連するメールが有ると判定された場合（ステップＳ７０／Ｙｅｓ）、ＣＰＵ３は、変数Ｘ（Ｘは１以上の整数）に「Ｘ＝１」を代入する（ステップＳ７１）。
【００８１】
次に、表示部５は、変数Ｘに対応する整列番号Ｘ（ここでは整列番号１）の通話相手に関連したメールを表示する（ステップＳ７２）。
【００８２】
次に、ＣＰＵ３は、スクロールスイッチ１４が押下されたか否かを判定する（ステップＳ７３）。
【００８３】
スクロールスイッチ１４が押下されたと判定されると（ステップＳ７３／Ｙｅｓ）、ＣＰＵ３は、変数Ｘを「Ｘ＝Ｘ＋１」として（ステップＳ７４）、表示部１５は、現在表示されているメールの次の整列番号のメール表示を行う（ステップＳ７２）。なお、スクロールスイッチ１４によりスクロールする方向（例えば、順方向、逆方向など）については特に限定されないものとする。
【００８４】
スクロールスイッチ１４が押下されていないと判定された場合（ステップＳ７３／Ｎｏ）、ＣＰＵ３は、終了スイッチ１６が押下されたか否かを判定する（ステップＳ７５）。
【００８５】
終了スイッチ１６が押下されていないと判定された場合（ステップＳ７５／Ｎｏ）、ステップＳ７３の処理が繰り返される。
【００８６】
終了スイッチ１６が押下されたと判定された場合（ステップＳ７５／Ｙｅｓ）、無線携帯端末は、メール表示モードにおける動作を終了する。
【００８７】
以上、説明したように、本実施形態によれば、無線携帯端末は、メモリ４内に格納されているメールのうち、そのメール本文およびメールアドレスに、通話相手先の名前、フリガナ、電話番号、およびメールアドレスのうちの少なくとも１つが含まれるメールを検索して通話中に表示する。従って、ユーザは、電話相手と送受信したメール以外にも、電話相手に関連する内容がメール本文に書かれているメールに関しても容易かつ迅速に検索し、閲覧することが可能となる。
【００８８】
また、無線携帯端末は、通話処理と、電子メールを送信する処理と、電子メールを受信する処理と、電子メールを格納する処理と、通話対象の名前、その名前のフリガナ、通話対象の電話番号、および通話対象のメールアドレスを互いに対応付けて格納する処理と、通話中に通話相手の電話番号を検出する処理と、通話相手の電話番号に対応する通話対象の名前、その名前のフリガナ、通話対象の電話番号、および通話対象のメールアドレスのうちの少なくとも１つの文字情報を含む電子メールを抽出する処理と、抽出した電子メールを表示する処理と、を行う。上記の処理は、無線携帯端末が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００８９】
なお、上記の実施形態は本発明の好適な実施の一例であり、本発明の実施形態は、これに限定されるものではなく、本発明の要旨を逸脱しない範囲において種々変形して実施することが可能となる。
【００９０】
【発明の効果】
以上、説明したように、本発明によれば、無線携帯端末装置は、自装置内に格納されているメールのうち、そのメールアドレスに、通話相手先のメールアドレスが含まれるメールを検索して通話中に表示する。従って、ユーザは、通話相手先に関連するメールを容易かつ迅速に検索し、閲覧することが可能となる。
【００９１】
また、本発明によれば、無線携帯端末装置は、自装置内に格納されているメールのうち、そのメール本文およびメールアドレスに、通話相手先の名前、フリガナ、電話番号、およびメールアドレスのうちの少なくとも１つが含まれるメールを検索して通話中に表示する。従って、ユーザは、電話相手と送受信したメール以外にも、電話相手に関連する内容がメール本文に書かれているメールに関しても容易かつ迅速に検索し、閲覧することが可能となる。
【図面の簡単な説明】
【図１】本発明の第１の実施形態における無線携帯端末の構成を示す図である。
【図２】本発明の第１の実施形態におけるスイッチの構成例を示す図である。
【図３】本発明の第１の実施形態におけるメモリに格納されるアドレス情報を示す図である。
【図４】本発明の第１の実施形態における無線携帯端末によるメール検索動作の流れを示すフローチャートである。
【図５】本発明の第１の実施形態における無線携帯端末によるメール検索動作の流れを示すフローチャートである。
【図６】本発明の第２の実施形態における無線携帯端末によるメール検索動作の流れを示すフローチャートである。
【図７】本発明の第２の実施形態における無線携帯端末によるメール検索動作の流れを示すフローチャートである。
【符号の説明】
１　スイッチ
２　制御部
３　ＣＰＵ
４　メモリ
５　表示部
６　アンテナ
７　無線部
８　マイク
９　レシーバ
１１　テンスイッチ
１２　＊スイッチ
１３　＃スイッチ
１４　スクロールスイッチ
１５　開始スイッチ
１６　終了スイッチ
１７　メニュースイッチ
１８　クリアスイッチ
【図１】
2004064147.tif 000003
【図２】
2004064147.tif 000004
【図３】
2004064147.tif 000005
【図４】
2004064147.tif 000006
【図５】
2004064147.tif 000007
【図６】
2004064147.tif 000008
【図７】
2004064147.tif 000009